(57)【要約】【課題】市町村役場の防災担当者がリアルタイムに取得される斜面状態を時々刻々に監視して、測定対象地点の崩壊危険予兆をより具体的に把握することが出来ることで、その責務を安全に全うできるようにしたモニター画面を提供する。【解決手段】段階的崩壊危険報知モニター手段が、傾斜測定装置の配置位置を持つ崩壊危険指定域の地図の表示画面上に、生成された複数の段階的な崩壊危険予兆情報に基づいて、同一規模の崩壊の恐れの大きさ段階に対応した傾斜測定装置配置位置を同一区域に持つ段階的な崩壊危険予兆区域画像を形成し、画面表示手段に画像表示させる。【選択図】図９
2015108888.tif 000002
【特許請求の範囲】
【請求項１】
測定対象地点の傾斜を予め定めた測定タイミングで傾斜変化測定装置が測定した傾斜変化量を、傾斜変化監視センターのコンピュータシステムに入力させ、崩壊危険報知情報を生成し、サービス提供する崩壊危険報知サービス提供装置であって、
測定対象地点が崩壊危険監視指定域として設定され、複数一群の傾斜測定装置が設置された崩壊危険監視指定域の地図情報を含む指定域情報、および各地図内に配置された複数一群の傾斜測定装置の配置情報を格納するデータベースと、
崩壊危険監視指定域の地図情報を含む指定域情報、および傾斜測定装置の配置情報に基づいて各崩壊危険監視指定域の地図上に複数一群の傾斜測定装置の配置位置を画面に表示する画面表示手段と、
各傾斜変化測定装置から通信手段を介して送信された、傾斜変化測定データを受信する受信手段と、
受信された傾斜変化測定データから、段階的な傾斜変化データを取得し、取得された傾斜変化データから崩壊危険監視指定域の崩壊する恐れの大きさを特定し、該恐れの大きさに対応して段階的な崩壊危険予兆情報を生成する演算処理手段と、
生成された複数の段階的な崩壊危険予兆情報および傾斜測定装置配置位置に基づいて、傾斜測定装置配置位置を持つ画面領域を取得し、該画面領域に同一規模の崩壊の恐れの大きさ段階に対応した崩壊危険予兆区域画像を順次取得して、画面表示手段に段階的な崩壊危険予兆区域画像を順次画像表示させる段階的崩壊危険報知モニター手段と、からなること
を特徴とする崩壊危険報知サービス情報提供装置。
【請求項２】
請求項１に記載された崩壊危険報知サービス情報提供装置において、受信された傾斜変化データが、計測データおよび撮像装置で撮像された傾斜変化画像を含み、演算処理手段が、傾斜変化画像を含む傾斜変化データを取得し、段階的崩壊危険報知モニター手段が、該傾斜変化データ‐を用いて崩壊の恐れの大きさ段階に対応して段階的な崩壊危険予兆区域画像を順次形成することを特徴とする崩壊危険報知サービス情報提供装置。
【請求項３】
請求項１に記載された崩壊危険報知サービス情報提供装置において、市町村役場の傾斜変化監視センターに設置されたコンピュータに設けられたコンピュータシステムに段階的崩壊危険報知モニター手段が備えられ、市町村内地域における段階的な崩壊危険予兆区域画像を直接的に画像表示させることを特徴とする崩壊危険報知サービス情報提供装置。
【請求項４】
請求項１に記載された崩壊危険報知サービス情報提供装置において、サービス情報提供企業の傾斜変化監視センターに設置されたコンピュータシステムが、受信手段、演算処理手段および段階的崩壊危険報知モニター手段を備え、段階的崩壊危険報知モニター手段が画面表示された段階的な崩壊危険予兆区域画像を、通信手段を介して、当該市町村役場に設置されたコンピュータシステムに送信させることを特徴とする崩壊危険報知サービス情報提供装置。
【請求項５】
請求項１または２に記載された崩壊危険報知サービス情報提供装置において、傾斜変化データに、傾斜測定装置が倒れたことを示す傾斜変化データが含まれ、傾斜変化測定装置に備えられた集音装置によって集音された音情報がコンピュータシステムに提供されることを特徴とする崩壊危険報知サービス情報提供装置。
【請求項６】
請求項１から５のいずれかに記載された崩壊危険報知サービス情報提供装置において、演算処理手段が、傾斜測定装置からの傾斜変化測定データから、微小な傾き角度変化を示す傾斜変化データ、傾き角度変化が継続したことを示す傾斜変化データ、該傾斜変化データが予め定めた限界値に達したことを示す傾斜変化データを形成することを特徴とする崩壊危険報知サービス情報提供装置。
【請求項７】
請求項１から６のいずれかに記載された崩壊危険報知サービス情報提供装置、崩壊危険監視指定域に設置された複数一群の傾斜測定装置およびこれらの装置を接続する通信手段からなり、画面表示手段に段階的に表示された崩壊危険予兆区域画像を画面上に静止して再現することを特徴とする崩壊危険報知サービス情報提供システム。
【請求項８】
測定対象地点の傾斜を予め定めた測定タイミングで測定する傾斜変化測定装置が測定した傾斜変化量を、傾斜変化監視センターのコンピュータシステムに入力させ、崩壊危険情報を生成し、サービス提供する地域内の崩壊危険報知サービス情報提供装置の運用コンピュータプログラムからなる媒体であって、
データベースに、測定対象地点が崩壊危険監視指定域として設定され、複数一群の傾斜測定装置が設置された崩壊危険監視指定域の地図情報を含む指定域情報、および各地図内に配置された複数一群の傾斜測定装置の配置情報を格納させ、
画面表示手段に、崩壊危険監視指定域の地図情報を含む指定域情報、および傾斜測定装置の配置情報に基づいて各崩壊危険監視指定域の地図上に複数一群の傾斜測定装置の配置位置を画面に表示させ、
受信手段に、各傾斜変化測定装置から通信手段を介して送信された、傾斜変化測定データを受信させ、
演算処理手段に、受信された傾斜変化測定データから、微小な傾斜変化を示す傾斜変化データ、および傾斜度変化が継続したことを示す傾斜変化データあるいは該傾斜変化データが予め定めた限界値に達したことを示す傾斜変化データを取得し、取得された傾斜変化データから崩壊危険監視指定域の崩壊する恐れの大きさを特定し、該恐れの大きさに対応して段階的な崩壊危険予兆情報を生成させ、
生成された複数の段階的な崩壊危険予兆情報および傾斜測定装置配置位置に基づいて、同一規模の崩壊の恐れの大きさ段階に対応した画面領域を生成し、該画面領域に傾斜測定装置配置位置を持つ段階的な崩壊危険予兆区域画像を順次形成し、画面表示手段に段階的な崩壊危険予兆区域画像を順次画像表示させること、からなること
を特徴とするサービス提供する崩壊危険報知サービス情報提供装置の運用コンピュータプログラムからなる媒体。
【請求項９】
測定対象地点の傾斜を予め定めた測定タイミングで測定する傾斜測定装置が測定した傾斜変化量を、傾斜変化監視センターのコンピュータシステムに入力させ、崩壊危険情報を生成し、提供する崩壊危険報知サービス情報提供装置によって実行される崩壊危険情報を提供するサービス情報提供方法であって、
データベースに、測定対象地点が崩壊危険監視指定域として設定され、複数一群の傾斜測定装置が設置された崩壊危険監視指定域の地図情報を含む指定域情報、および各地図内に配置された複数一群の傾斜測定装置の配置情報を格納させ、
画面表示手段が、崩壊危険監視指定域の地図情報を含む指定域情報、および傾斜測定装置の配置情報に基づいて各崩壊危険監視指定域の地図上に複数一群の傾斜測定装置の配置位置を画面に表示し、
受信手段が、各傾斜変化測定装置から通信手段を介して送信された、傾斜変化測定データを受信し、
演算処理手段が、受信された傾斜変化測定データから、微小な傾斜変化を示す傾斜変化データ、および傾斜度変化が継続したことを示す傾斜変化データあるいは該傾斜変化データが予め定めた限界値に達したことを示す傾斜変化データを取得し、取得された傾斜変化データから崩壊危険監視指定域の崩壊する恐れの大きさを特定し、該恐れの大きさに対応して段階的な崩壊危険予兆情報を生成し、
段階的崩壊危険報知モニター手段が、生成された複数の段階的な崩壊危険予兆情報および傾斜測定装置配置位置に基づいて、同一規模の崩壊の恐れの大きさ段階に対応した画面領域を生成し、該画面領域に傾斜測定装置配置位置を持つ段階的な崩壊危険予兆区域画像を順次形成し、画面表示手段に段階的な崩壊危険予兆区域画像を順次画像表示させること、からなること
を特徴とする崩壊危険サービス情報提供装置によって実行される崩壊危険情報を提供するサービス情報提供方法。
【発明の詳細な説明】
【技術分野】
【０００１】
本発明は、地域内の崩壊危険報知サービス情報提供装置およびその方法、およびシステム運用のコンピュータに用いられる媒体に関する。
【背景技術】
【０００２】
地域ののり面、急傾斜地の傾斜に関するデータを取得して、傾斜の変動を予測し、傾斜を監視することがなされている。
【０００３】
崩壊危険報知コンピュータシステムは、警戒・避難・規制情報を配信し、これらの情報を解除する情報を発令する。
【０００４】
特許文献１には、斜面状態データを得て崩壊危険度スコア値を計算し、警戒・避難・規制情報を発令し、解除することが記載されている。
【０００５】
特許文献２には、斜面表層の複数位置の変位をリアルタイムで計測して、防災情報画面データを作成してインターネット回線に送出することが記載されている。
【０００６】
特許文献３には、複数台の傾斜測定装置が測定対象地点である傾斜面、のり面の傾斜を監視することが記載され、傾斜測定装置が気泡管センサおよび加速度センサを備えて構成されることが記載されている。
【先行技術文献】
【特許文献】
【０００７】
【特許文献１】特開２００４−２８０２０４号公報
【特許文献２】特開２００９−９３５９４号公報
【特許文献３】特開２０１３−４４７３３９号公報
【発明の概要】
【発明が解決しようとする課題】
【０００８】
傾斜面、のり面の傾斜の変化状態を測定するために各種の傾斜測定装置が開発され、提案されている。特許文献３に記載された傾斜測定装置もそのひとつである。
【０００９】
特許文献に記載されているように、測定対象地点の複数の傾斜測定装置を配置し、斜面状態データを取得して、防災情報画面データを作成することが提案されている。
【００１０】
しかしながら、これらの特許文献は、防災情報画面データの詳細について記述するところではない。市町村役場における防災担当者がその責務を全うし、適切な警戒・避難・規制情報を発令するには単に防災情報画面がコンピュータ画面に表示されるだけでは足りず、リアルタイムに取得される斜面状態を時々刻々に監視して、測定対象地点の崩壊危険予兆をより具体的に把握することが必要となる。
【００１１】
本発明は、かかることに鑑みて市町村役場の防災担当者がリアルタイムに取得される斜面状態を時々刻々に監視して、測定対象地点の崩壊危険予兆をより具体的に把握することが出来ることで、その責務を迅速に安全に全うできるようにしたモニター画面を提供することを目的とする。
【課題を解決するための手段】
【００１２】
本発明は、測定対象地点の傾斜を予め定めた測定タイミングで傾斜変化測定装置が測定した傾斜変化量を、傾斜変化監視センターのコンピュータシステムに入力させ、崩壊危険報知情報を生成し、サービス提供する崩壊危険報知サービス提供装置であって、
測定対象地点が崩壊危険監視指定域として設定され、複数一群の傾斜測定装置が設置された崩壊危険監視指定域の地図情報を含む指定域情報、および各地図内に配置された複数一群の傾斜測定装置の配置情報を格納するデータベースと、
崩壊危険監視指定域の地図情報を含む指定域情報、および傾斜測定装置の配置情報に基づいて各崩壊危険監視指定域の地図上に複数一群の傾斜測定装置の配置位置を画面に表示する画面表示手段と、
各傾斜変化測定装置から通信手段を介して送信された、傾斜変化測定データを受信する受信手段と、
受信された傾斜変化測定データから、段階的な傾斜変化データを取得し、取得された傾斜変化データから崩壊危険監視指定域の崩壊する恐れの大きさを特定し、該恐れの大きさに対応して段階的な崩壊危険予兆情報を生成する演算処理手段と、
生成された複数の段階的な崩壊危険予兆情報および傾斜測定装置配置位置に基づいて、傾斜測定装置配置位置を持つ画面領域を取得し、該画面領域に同一規模の崩壊の恐れの大きさ段階に対応した崩壊危険予兆区域画像を順次取得して、画面表示手段に段階的な崩壊危険予兆区域画像を順次画像表示させる段階的崩壊危険報知モニター手段と、からなること
を特徴とする崩壊危険報知サービス情報提供装置を提供する。
【００１３】
また、本発明は、測定対象地点の傾斜を予め定めた測定タイミングで傾斜変化測定装置が測定した傾斜変化量を、傾斜変化監視センターのコンピュータシステムに入力させ、崩壊危険報知情報を生成し、サービス提供する崩壊危険報知サービス提供装置であって、
測定対象地点が崩壊危険監視指定域として設定され、複数一群の傾斜測定装置が設置された崩壊危険監視指定域の地図情報を含む指定域情報、および各地図内に配置された複数一群の傾斜測定装置の配置情報を格納するデータベースと、
崩壊危険監視指定域の地図情報を含む指定域情報、および傾斜測定装置の配置情報に基づいて各崩壊危険監視指定域の地図上に複数一群の傾斜測定装置の配置位置を画面に表示する画面表示手段と、
各傾斜変化測定装置から通信手段を介して送信された、傾斜変化測定データを受信する受信手段と、
受信された傾斜変化測定データから、微小な傾斜変化を示す傾斜変化データ、および傾斜度変化が継続したことを示す傾斜変化データあるいは該傾斜変化データが予め定めた限界値に達したことを示す傾斜変化データを取得し、取得された傾斜変化データから崩壊危険監視指定域の崩壊する恐れの大きさを特定し、該恐れの大きさに対応して段階的な崩壊危険予兆情報を生成する演算処理手段と、
複数一群の傾斜測定装置の配置位置を持つ崩壊危険監視指定域の地図の表示画面上に、生成された複数の段階的な崩壊危険予兆情報に基づいて、同一規模の崩壊の恐れの大きさ段階に対応して傾斜測定装置配置位置を同一区域に持つ段階的な崩壊危険予兆区域画像を順次形成し、画面表示手段に段階的な崩壊危険予兆区域画像を順次画像表示させる段階的崩壊危険報知モニター手段と、からなること
を特徴とする崩壊危険報知サービス情報提供装置を提供する。
【００１４】
上述された崩壊危険報知サービス情報提供装置において、受信された傾斜変化データが、計測データおよび撮像装置で撮像された傾斜変化画像を含み、演算処理手段が、傾斜変化画像を含む傾斜変化データを取得し、段階的崩壊危険報知モニター手段が、該傾斜変化データ‐を用いて崩壊の恐れの大きさ段階に対応して段階的な崩壊危険予兆区域画像を順次形成することを特徴とする崩壊危険報知サービス情報提供装置を提供する。
【００１５】
上述された崩壊危険報知サービス情報提供装置において、市町村役場の傾斜変化監視センターに設置されたコンピュータに設けられたコンピュータシステムに段階的崩壊危険報知モニター手段が備えられ、市町村内地域における段階的な崩壊危険予兆区域画像を直接的に画像表示させることを特徴とする崩壊危険報知サービス情報提供装置を提供する。
【００１６】
上述された崩壊危険報知サービス情報提供装置において、サービス情報提供企業の傾斜変化監視センターに設置されたコンピュータシステムが、受信手段、演算処理手段および段階的崩壊危険報知モニター手段を備え、段階的崩壊危険報知モニター手段が画面表示された段階的な崩壊危険予兆区域画像を、通信手段を介して、当該市町村役場に設置されたコンピュータシステムに送信させることを特徴とする崩壊危険報知サービス情報提供装置を提供する。
【００１７】
上述された崩壊危険報知サービス情報提供装置において、傾斜変化データに、傾斜測定装置が倒れたことを示す傾斜変化データが含まれ、傾斜変化測定装置に備えられた集音装置によって集音された音情報がコンピュータシステムに提供されることを特徴とする崩壊危険報知サービス情報提供装置を提供する。
【００１８】
上述された崩壊危険報知サービス情報提供装置において、演算処理手段が、傾斜測定装置からの傾斜変化測定データから、微小な傾き角度変化を示す傾斜変化データ、傾き角度変化が継続したことを示す傾斜変化データ、該傾斜変化データが予め定めた限界値に達したことを示す傾斜変化データを形成することを特徴とする崩壊危険報知サービス情報提供装置を提供する。
【００１９】
上述された崩壊危険報知サービス情報提供装置、崩壊危険監視指定域に設置された複数一群の傾斜測定装置およびこれらの装置を接続する通信手段からなり、画面表示手段に段階的に表示された崩壊危険予兆区域画像を画面上に静止して再現することを特徴とする崩壊危険報知サービス情報提供システムを提供する。
【００２０】
本発明は、測定対象地点の傾斜を予め定めた測定タイミングで測定する傾斜変化測定装置が測定した傾斜変化量を、傾斜変化監視センターのコンピュータシステムに入力させ、崩壊危険情報を生成し、サービス提供する地域内の崩壊危険報知サービス情報提供装置の運用コンピュータプログラムからなる媒体であって、
データベースに、測定対象地点が崩壊危険監視指定域として設定され、複数一群の傾斜測定装置が設置された崩壊危険監視指定域の地図情報を含む指定域情報、および各地図内に配置された複数一群の傾斜測定装置の配置情報を格納させ、
画面表示手段に、崩壊危険監視指定域の地図情報を含む指定域情報、および傾斜測定装置の配置情報に基づいて各崩壊危険監視指定域の地図上に複数一群の傾斜測定装置の配置位置を画面に表示させ、
受信手段に、各傾斜変化測定装置から通信手段を介して送信された、傾斜変化測定データを受信させ、
演算処理手段に、受信された傾斜変化測定データから、微小な傾斜変化を示す傾斜変化データ、および傾斜度変化が継続したことを示す傾斜変化データあるいは該傾斜変化データが予め定めた限界値に達したことを示す傾斜変化データを取得し、取得された傾斜変化データから崩壊危険監視指定域の崩壊する恐れの大きさを特定し、該恐れの大きさに対応して段階的な崩壊危険予兆情報を生成させ、
段階的崩壊危険報知モニター手段が、生成された複数の段階的な崩壊危険予兆情報および傾斜測定装置配置位置に基づいて、同一規模の崩壊の恐れの大きさ段階に対応した画面領域を生成し、該画面領域に傾斜測定装置配置位置を持つ段階的な崩壊危険予兆区域画像を順次形成し、画面表示手段に段階的な崩壊危険予兆区域画像を順次画像表示させること、からなること
を特徴とするサービス提供する崩壊危険報知サービス情報提供装置の運用コンピュータプログラムからなる媒体を提供する。
【００２１】
本発明は、測定対象地点の傾斜を予め定めた測定タイミングで測定する傾斜測定装置が測定した傾斜変化量を、傾斜変化監視センターのコンピュータシステムに入力させ、崩壊危険情報を生成し、提供する崩壊危険報知サービス情報提供装置によって実行される崩壊危険情報を提供するサービス情報提供方法であって、
データベースに、測定対象地点が崩壊危険監視指定域として設定され、複数一群の傾斜測定装置が設置された崩壊危険監視指定域の地図情報を含む指定域情報、および各地図内に配置された複数一群の傾斜測定装置の配置情報を格納させ、
画面表示手段が、崩壊危険監視指定域の地図情報を含む指定域情報、および傾斜測定装置の配置情報に基づいて各崩壊危険監視指定域の地図上に複数一群の傾斜測定装置の配置位置を画面に表示し、
受信手段が、各傾斜変化測定装置から通信手段を介して送信された、傾斜変化測定データを受信し、
演算処理手段が、受信された傾斜変化測定データから、微小な傾斜変化を示す傾斜変化データ、および傾斜度変化が継続したことを示す傾斜変化データあるいは該傾斜変化データが予め定めた限界値に達したことを示す傾斜変化データを取得し、取得された傾斜変化データから崩壊危険監視指定域の崩壊する恐れの大きさを特定し、該恐れの大きさに対応して段階的な崩壊危険予兆情報を生成し、
段階的崩壊危険報知モニター手段が、段階的崩壊危険報知モニター手段が、生成された複数の段階的な崩壊危険予兆情報および傾斜測定装置配置位置に基づいて、同一規模の崩壊の恐れの大きさ段階に対応した画面領域を生成し、該画面領域に傾斜測定装置配置位置を持つ段階的な崩壊危険予兆区域画像を順次形成し、画面表示手段に段階的な崩壊危険予兆区域画像を順次画像表示させること
を特徴とする崩壊危険サービス情報提供装置によって実行される崩壊危険情報を提供するサービス情報提供方法を提供する。
【発明の効果】
【００２２】
本発明は、上述したように傾斜測定装置の配置位置を持つ崩壊危険監視指定域の地図の表示画面上に、生成された複数の段階的な崩壊危険予兆情報に基づいて、同一規模の崩壊の恐れの大きさ段階に対応した傾斜測定装置配置位置を同一区域に持つ段階的な崩壊危険予兆区域画像を形成される。この構成によれば、測定対象地点である地域に、何段階にも渡る傾斜面計測状態を複数の傾斜測定装置で測定し、当該地域を示す地図上に崩壊予兆画像を段階的に表示することが出来、市町村役場の防災担当者がリアルタイムに取得される斜面状態を時々刻々に監視して、測定対象地点の崩壊危険予兆をより具体的に視覚的に把握することが出来ることで、その責務を迅速に安全に全うできるようにしたモニター画面を提供することが出来る。
【図面の簡単な説明】
【００２３】
【図１】本発明の実施例であるいずれかの市町村の地図および傾斜測定装置の配置を示す図。
【図２】本発明の他の実施例であるいずれかの市町村の地図および傾斜測定装置の配置を示す図。
【図３】本発明の実施例の１形態を示す図。
【図４】本発明の実施例の他の形態を示す図。
【図５】本発明の実施例の通信状態を示す図。
【図６】本発明の実施例の形態をブロックで示す図。
【図７】本発明の実施例に使用可能な傾斜測定装置を説明する図。
【図８】撮像状態を示す図。
【図９】本発明の実施例である画面の１例を示す図。
【図１０】他の画面の１例を示す図。
【図１１】本発明の実施例のフローチャートを示す図。
【図１２】本発明の実施例である段階的崩壊危険報知ステップを示す図。
【発明を実施するための形態】
【００２４】
以下、本発明の実施例を図面に基づいて説明する。
【実施例】
【００２５】
図１は、いずれかの市町村の地図１、この地図上に設定された崩壊危険監視指定域２（２Ａ、２Ｂ、２Ｃ、２Ｄ）および市町村役場３を示す。地図２には、通常の地図が示すように山４、川５、民家６、道路７が示される。他の施設が表示されてもよい。
【００２６】
図２に示すように、一つの山４を、複数一群の傾斜測定装置で集中的に監視をするようにする場合にも本件の実施例は適用可能である。このような場合、市町村役場の崩壊危険監視担当者である防災担当者は、地元に精通しているのが常であるので、崩壊の危険予測領域を図２に示すように予め定めた危険予測域として数字９で示すように予め予測している。本願は、この予測を画面表示して、崩壊を模擬してシュミレーションする場合にも適用することが出来る。
【００２７】
測定対象地点が崩壊危険監視指定域２として市町村役場３によって予め設定される。市町村役場３には、傾斜監視センター２１が設置される。複数一群とされた傾斜測定装置の配置位置を持つ崩壊危険指定域の地図の表示画面上に、生成された複数の段階的な崩壊危険予兆情報および傾斜測定装置の配置位置情報に基づいて、同一の崩壊の恐れの大きさ段階に対応した傾斜測定装置配置位置を同一区域、すなわち画像領域に持つ段階的な崩壊危険予兆区域画像を形成し、画面表示手段に段階的な崩壊危険予兆区域画像を画像表示させる。以下、詳述する。
【００２８】
崩壊危険監視指定域２内には、クロス（ｘ）で示す複数の傾斜測定装置１０が配置される。崩壊危険監視指定域２内に設置された複数一群の傾斜測定装置１０は、セットである複数一群をなしてこの崩壊危険監視指定域２についての崩壊危険監視情報を提供することができる。傾斜測定装置１０は、単独に他の測定対象地点に設置されてもよい。
【００２９】
図３に、傾斜測定装置１０で観測、取得した傾斜情報を市町村役場３に設置した傾斜変化監視センター１１内のコンピュータ１２（ＰＣ）に取り込み、コンピュータシステムによって所定の演算処理をすることを示す。このコンピュータ１２がサーバの機能を有する。図３では、親機１３、中継機１４を介して子機としての各傾斜装置１０からの傾斜情報をコンピュータ１２に取り込んでいるが、親機１３、中継機１４を設けることなく、各傾斜情報を無線で各傾斜測定装置１０から直接的にコンピュータ１２に取り込むようにしてもよい。コンピュータ１２には、監視を行うためのソフトが装着されるが、ソフトは媒体２５組み込まれてコンピュータ１２に装着される。媒体２５については、その機能を後述する。
【００３０】
図３、図４に示す構成にすることによって、崩壊危険監視指定域２内に設置された複数一群の傾斜測定装置１０を含めてのシステムが簡便化され、迅速な報知サービス情報提供が可能になる。
【００３１】
図３にあっては、市町村役場３内の傾斜変化センター１１に設置した通信機能のあるコンピュータ機能のあるユーザー端末１２に直接的に傾斜情報を取り込むようにしているが、図４に示すようにサービス提供会社２０内に設けた傾斜変化監視センター２１のサーバ２２（ＰＣ）のよって形成されるコンピュータシステムに取り込むようにしてもよい。サーバをコンピュータと言い換えても同じことである。
【００３２】
図４において、市町村３（３Ａ、３Ｂ、３Ｃ、３Ｄ）は、インターネット回線２４を介してサービス会社２０に連携付けられる。具体的には、各市町村内の崩壊危険監視指定域２には複数一群となった傾斜測定装置１０が設置され、各親機１３、中継機１４を介し、インターネット回線２４を介してサーバ２２に接続され、各傾斜測定情報が取り込まれる。サーバ２２で演算処理され、生成された崩壊危険報知サービス情報は、インターネット回線２４を介して市町村役場のコンピュータ１２に送信される。このようなシステムとすることで、各市町村役場に設置したユーザー端末１２の負荷を軽減し、防災担当者の負荷を軽減することが出来る。
【００３３】
図５は、図４に示す通信網を通信回路網で示す図である。
【００３４】
図５において、各市町村内の崩壊危険監視指定域２に傾斜測定装置１０が配置される。複数一群のサービス提供会社２０は、サーバ２２内に崩壊危険報知サービス提供システム１００、崩壊危険報知サービス提供装置１０１を運用実行するコンピュータシステムを有する。崩壊危険報知サービス提供システム１００は、崩壊危険報知サービス提供装置１０１およびこれに通信手段で接続される複数一群の傾斜測定装置１０等によって構成される。このようにサーバ２２には、崩壊危険報知サービス提供装置１０１からの測定データが取り込まれる。また、サーバ２２は、防災担当者からの人為的な情報も取り込むことが出来る。サーバ２２は、インターネット回線２４を介して、親機１３、中継機１４、ユーザー端末２６、県庁７に接続される。崩壊危険報知サービス提供装置１０１は、主なる構成として、受信手段５１、演算処理手段５２および段階的崩壊危険報知モニター手段５３を備え、通信手段を介してインターネット回線２４に接続される。
【００３５】
一方、各市町村に属する各一群の傾斜測定装置１０は（１０Ａ、１０Ｂ，１０Ｃ，１０Ｄ）、通信回路２５を介してインターネット回線２４に接続される。また、インターネット回線２４は、ユーザー端末１２に接続される。
【００３６】
図３に示す事例を採用する場合には、コンピュータ１２が、コンピュータシステムとしての機能によって崩壊危険情報演算処理機能およびモニター画面情報生成・表示機能を持つように構成されることになる。図３には、サービス提供会社２０が記載されていないが、サービス提供会社２０が市町村役場に媒体２５を提供することで、コンピュータ１２が、コンピュータシステムとしての機能によって崩壊危険情報演算処理機能およびモニター画面情報生成・表示機能を持つように構成されることになる。サービス提供会社２０が持つサーバから電子情報として提供されるようにしてもよい。
【００３７】
傾斜変化監視センター１１のコンピュータシステムは、崩壊危険情報演算処理機能およびモニター画面情報生成・表示機能を持ち、崩壊危険情報およびモニター画像情報を提供する。これらの情報を使用して、図１に示す地域の市町村役場のユーザー端末１２を介して住民にモニター画像情報が提供され、加えて警告、避難、規制情報が形成され、提供される。このような情報提供に際しては、市町村役場３とサービス提供会社２０との間で契約が締結され、市町村役場でのサービス提供の運用がスムーズになされることになる。この契約には、サービス運用のためのコンピュータ接続可能の媒体の提供、傾斜測定装置の提供と管理、コンピュータ運用と管理、その他のサービス支援、対価の条項が含まれることになる。
【００３８】
図６は、崩壊危険報告サービス提供システム１００を示す。崩壊危険報告サービス提供システム１００は、崩壊危険報告サービス提供装置１０１と複数一群の傾斜測定装置１０を含んだ傾斜測定システム１０２とから構成される。崩壊危険報告サービス提供装置１０１と複数一群の傾斜測定装置１０との間の情報通信には、インターネット回線２４などの通信回路が利用される。上述したように、複数一群の傾斜測定装置１０は、直接的に崩壊危険報告サービス提供装置１０１に接続されてもよい。
【００３９】
崩壊危険報告サービス提供装置１０１は、測定対象地点の傾斜を予め定めた測定タイミングで測定する傾斜測定装置が測定した傾斜変化量を、傾斜変化監視センターのコンピュータシステムに入力させ、崩壊危険情報を生成し、提供する崩壊危険サービス情報提供装置によって実行される崩壊危険情報を提供するサービス情報提供方法を提供する。
【００４０】
図６には、４つからなる複数一群の傾斜測定装置１０が記載されているが、これらの数には限定されない。これらの数よりも多くてもよいし、少なくてもよい。各傾斜測定装置１０は、通信機能を備え、通信回線を介して測定データをその他の情報と共に崩壊危険報告サービス提供装置１０１に送信する。傾斜測定データは、主に傾き角度変化測定データ、傾斜方向測定データおよび測定画像データからなる。集音データが追加されてもよい。
【００４１】
崩壊危険報告サービス提供装置１０１は、受信手段５１、演算処理手段５２、段階的崩壊危険報知モニター手段５３（モニター手段という場合がある）、データベース５４および画面表示手段５５を備える。
【００４２】
データベース５４には、傾斜測定装置が複数設置された崩壊危険監視指定域の情報、当該崩壊危険監視指定域に設置された傾斜測定装置の情報および崩壊危険監視指定域についての地図情報および各地図内に配置された傾斜測定装置の配置情報が格納される。崩壊状態経過画像も格納され、後日の検証再現時に利用可能とされる。
【００４３】
画面表示手段５５は、崩壊危険監視指定域情報、傾斜測定装置情報、地図情報および傾斜測定装置の配置情報に基づいて各崩壊危険監視指定域の地図上に配置位置が設定された傾斜測定装置配置位置を画面に表示することが出来る。また、崩壊状態経過画像も表示出来る。
【００４４】
受信手段５１は、各傾斜変化測定装置１０から通信回路を介して送信された、傾き角度変化測定データ、傾斜方向測定データおよび測定画像データからなる傾斜測定データを受信する。
【００４５】
演算処理手段５２は、受信された測定データから、微小な傾斜変化を示す傾斜変化データ、および傾斜変化が継続したことを示す傾斜変化データあるいは該傾斜変化データが予め定めた限界値に達したことを示す傾斜変化データを生成する。崩壊危険監視指定域の崩壊する恐れの大きさに対応して段階的な崩壊危険予兆情報を生成する。受信された傾斜変化測定データから、微小な傾斜変化を示す傾斜変化データ、および傾斜度変化が継続したことを示す傾斜変化データあるいは該傾斜変化データが予め定めた限界値に達したことを示す傾斜変化データを取得し、取得された傾斜変化データから崩壊危険監視指定域の崩壊する恐れの大きさを特定し、該恐れの大きさに対応して段階的な崩壊危険予兆情報を生成する。傾斜変化データには、傾斜測定装置自体の倒れ情報が含まるようにしてよい。傾斜変化データの典型的な例は、図示するように傾き角度変化データであり、傾斜方向データである。
【００４６】
段階的崩壊危険報知モニター手段５３は、傾斜測定装置の配置位置を持つ崩壊危険監視指定域の地図の表示画面上に、複数の段階的な崩壊危険予兆情報に基づいて、同一規模の崩壊の恐れの大きさ段階に対応した傾斜測定装置配置位置を同一区域に持つ段階的な崩壊危険予兆区域画像を形成する。画面表示手段５５に段階的な崩壊危険予兆区域画像を画像表示させる。崩壊危険監視指定域の地図は、傾斜測定装置の配置位置を持つが、画面上に傾斜測定装置の配置位置は消去され得る。常に表示されることを要しない。防災担当者にとって崩壊危険予兆画面が重要なのであって、この表示の中に傾斜測定装置の配置位置が表示されるかどうかは崩壊危険予兆画面に比べて大きなものではない。傾斜測定装置の配置位置が表示された崩壊危険予兆画面であることは、それだけ情報量が多いということでありより望ましいことである。崩壊危険予兆画面は、モニター時の予測崩壊危険予兆画面を含む。
【００４７】
段階的崩壊危険報知モニター手段は、生成された複数の段階的な崩壊危険予兆情報および傾斜測定装置配置位置に基づいて、同一規模の崩壊の恐れの大きさ段階に対応した画面領域を生成し、該画面領域に傾斜測定装置配置位置を持つ段階的な崩壊危険予兆区域画像を順次形成し、画面表示手段に段階的な崩壊危険予兆区域画像を順次画像表示させる。
【００４８】
受信された傾斜変化データが、計測データおよび撮像装置で撮像された傾斜変化画像を含み、演算処理手段５２が、傾斜変化画像を含む傾斜変化データを取得し、段階的崩壊危険報知モニター手段５３が、この傾斜変化データ‐を用いて崩壊の恐れの大きさ段階に対応して段階的な崩壊危険予兆区域画像を順次形成することが出来る。
【００４９】
段階的崩壊危険報知モニター手段５３は、段階的な崩壊危険予兆区域画像を順次画像表示し、収集したその他の情報を含めて順次各種端末、記録装置に発信することが出来る。これらの手段、装置は内部の通信回路５７によって互いに結ばれ、情報、データの授受が可能とされる。
【００５０】
画面表示手段５５は、モニター画面５６を備える。
【００５１】
図７は、公知の傾斜測定装置１０の一例を示す。この例に示す傾斜測定装置１０は、気泡管センサ(気泡センサともいう)６１、加速度センサ６２、制御マイコン６３、無線モジュール６４、電源６５および発光ダイオード（ＬＥＤ）６６を含んで構成される。
【００５２】
制御マイコン６３は、気泡管センサ６１と加速度センサ６２に接続され、気泡センサ６１と加速度センサ６２とからの傾き角度変化測定データ、傾斜方向データを取り込む。無線モジュール６４は、無線送信機能を有して、制御マイコン６３からの傾き角度変化測定データ、傾斜方向データを、親機１３、中継機１４を備えた中継手段７０の無線モジュール６７に送信する。無線モジュール６７で受けたシリアル通信データをＵＳＢモジュール６８でＡ/Ｄ変換する。変換されたシリアル通信データは、サービス情報提供会社２０の傾斜変化監視センター２１のサーバ２２あるいは図３におけるユーザー端末１２に送信される。サービス情報提供会社２０のサーバ２２あるいはユーザー端末１２は、上述したようにこれらに組み込まれたコンピュータシステムが該当する。
【００５３】
傾斜測定装置１０は、崩壊危険監視指定域として観測対象地点とされた急斜面、のり面あるいは観測が必要な地点に設置される。
【００５４】
これらのコンピュータシステムは、データロガー機能を有して、データベース５４に格納された各種データを用いることで、上述した演算処理手段５２、段階的崩壊危険報知モニター手段５３を形成することが出来る。
【００５５】
図７には、上述したように気泡管センサ６１および加速度センサ６２からなる傾斜測定装置１０を示したが、本実施例には、段階的な測定データを形成出来る装置であれば、他の傾斜測定装置を採用することが出来る。
【００５６】
図８は、傾斜測定装置１０が備える画像撮像装置を示す。傾斜測定装置１０の直上には、傾斜測定装置１０が計測する現象を画像として撮影する撮像装置、すなわちカメラ７１を備える。撮影された画像は、画像信号になって傾斜測定データに同期して共に子機から親機１３に送信される。
【００５７】
図９、図１０は、画面表示手段５５のモニター画面５６に表示する画面の一例を示す。
【００５８】
画面表示手段５５は、市町村名（ＩＤで登録）、崩壊危険監視指定域・配置、市町村全体・崩壊危険監視指定域地図、連絡要機関をスクロール出来る機能があり、また画面に、モニター状況としての撮影された傾斜撮像画像、崩壊の恐れの大きさ、集音状況、住民への説明状況を表示できる。これらのモニター状況の画面表示に際してもスクロール機能を用いるようにすることが出来る。
【００５９】
図９において、画面５６の中央部には、崩壊危険監視指定域・傾斜測定装置の配置状態図２Ａが表示される。上部には、崩壊危険監視指定域・配置のスクロール指示、市町村全体・崩壊危険監視指定域地図スクロール指示、連絡要機関スクロール指示が設定される。下部には、崩壊の恐れの大きさ（グレード、ランク）の表示、画像表示、集音状況表示、住民への伝達状況表示欄が表示される。右方部には、モニター状況によって予め設定された警告、避難勧告、避難指示、規制が表示される。
【００６０】
図９には、図２に示す予め定めた危険予測域１１をラップして表示することが出来る。
【００６１】
このようにして、上述したように崩壊危険監視指定域情報、傾斜測定装置情報、地図情報および傾斜測定装置の配置情報に基づいて各崩壊危険監視指定域の地図上に配置位置が設定された傾斜測定装置配置位置を画面に表示することが出来、またモニター状況を刻々に画面表示することが出来る。他の崩壊危険監視指定域の情報を並列して表示するようにしてもよい。
【００６２】
崩壊の恐れの大きさに対応して、予め警告、避難勧告・指示、規制との関係を決めておいてモニター画面上でこれらの設定を自動的に行うことが出来る。
【００６３】
図１０は、画像７２に、画像表示を指令した時に表示した画像表示の例を示し、傾斜変化測定結果が表示される。崩壊の恐れの大きさ段階に対応した画面領域を表示するようにしてもよい。傾斜変化測定結果は、サンプリング周期(分)、各傾斜測定装置による最新画像、測定時刻が示される。図１０に示すように、計測データ、生成処理データに加えて測定画像データを加えることで、崩壊の進行状況を視覚的に確認出来、機器および計測データの測定確認を行うこと出来、自動的に生成された予め警告、避難勧告・指示、規制との関係の安全性を確認することが出来る。
【００６４】
図１１は、実施例のフローチャートを示す。
【００６５】
図１１において、傾斜測定装置が傾きを読取り親機に測定データを渡す。（Ｓ１）  親機が渡された測定データを中継機に渡す。（Ｓ２）  中継機が集めた読取りデータをサーバに渡す。（Ｓ３）  サーバが渡された測定データから階段的崩壊危険情報を生成する。（Ｓ４）  崩壊危険予兆情報を生成する。（Ｓ５）  崩壊危険報知サービス情報画面を表示する。（Ｓ６）  防災担当者によって改訂された崩壊危険報知サービス情報画面が作成される。（Ｓ７）  市町村の住民に伝達される。（Ｓ８）
図１２は、傾斜測定装置の配置位置を持つ崩壊危険監視指定域の地図の表示画面上に、生成された複数の段階的な崩壊危険予兆情報に基づいて、同一の崩壊の恐れの大きさ段階に対応した傾斜測定装置配置位置を同一区域、領域に持つ段階的な崩壊危険予兆区域画像を複数順次形成し、画面表示手段に順次画像表示させるステップを示す。
【００６６】
各ステップのモニター状況は、図１０に示す画面によって測定計数データ、測定画像データによって確認がなされ得る。また、傾斜変化測定結果を用い、予め定めた予測と予測結果規模との関係から崩壊危険の規模について同一規模を設定することが出来る。
【００６７】
図１２（a）は、図１における崩壊危険監視指定域２Ａ内に、クロスで示す複数の傾斜測定装置１０が配置された状態を示す。クロスで示す複数の傾斜測定装置１０は、崩壊危険監視指定域２Ａ内に格子状に、千鳥足跡状に、高低差状にあるいは任意に配置することが出来る。多くの市町村役場は、管理地域内における監視要とされる測定地点を多数持っていて、また地図上を持っている。測定地点をＧＰ計測するようにしてデータ化してもよい。測定対象地点が崩壊危険監視指定域２として市町村役場３によって予め設定される。これらの傾斜測定装置１０の配置状況８１は、崩壊危険監視指定域地図上に予め決められ、データベース５４に格納され、サービス提供会社によって傾斜測定装置１０が現場に設定、配置される。この格納されたデータの基づき、モニター画面５６には図１２（a）に示す図を表示することが出来る。
【００６８】
図１２（b）は、気泡管センサ６１から微小な傾斜信号が発せられた状態８２を示す図である。これらの傾斜信号には、傾斜方向が表示されるようにしてもよい。図は、上方が傾斜上方側を示し、下方が傾斜下方側を示す。クロスに○を付けた状態の傾斜測定装置１０は、微小な傾斜信号を検出した。これらの傾斜測定装置１０は、同一の崩壊の恐れの大きさを持つものとして判定された。同一規模の崩壊の恐れの大きさ段階に対応した傾斜測定装置配置位置を持つ。同一区域、領域は、同一規模の大きさを示す傾斜測定装置配置位置によって特定される。この同一区域、領域は、同一規模の大きさを示す傾斜測定装置配置位置に依存する形で点線に示されるように仕切られる。この同一区域、領域は、クロスに○を付けた傾斜測定装置１０の全てを含む領域であり、画像表示される。サーバ２２、図３に示すユーザ端末１２コンピュータは、この領域を作図するプログラムを持つ。この領域に彩色が施されると視認性がよくなるので彩色することが勧められる。この点線区分けあるいは色分けによって全く検出がなかった領域と微小な検出があった領域とが明確に区分けされて画像表示される。第一段階表示となる。
【００６９】
図１２（b）では、上方から下方までの全ての傾斜測定装置１０に○が付いている。したがって、崩壊予兆が継続した次のステップに進行したことを示す。継続状況は、予め定められる。雨量状況によっては最下位の傾斜測定装置に○がつかず、クロスのままであることが計測されることがある。このような時は、中段領域にある地層が崩壊し易いことを示している。他の領域も同様である。
【００７０】
このようにして、第二段階にある同一の崩壊の恐れの大きさ段階に対応した傾斜測定装置の配置位置を同一区域、領域に持つ段階的な崩壊危険予兆区域画像が形成される。
【００７１】
図１２（ｃ）は、気泡管センサ６１から傾斜信号が発せられ、予め定められた長い時間継続して傾斜信号が発せられた状態８３である段階にあることを示す図である。この段階にある傾斜測定装置には、◎が付されている。◎の付された傾斜測定装置を取り囲むように一点鎖線が付されている。この領域に異なった彩色を施すことで、視認性がよくなる。この一点鎖線区分けによって微小検出があった領域と継続した検出があった領域とが明確に区分けされる。このようにして、同一規模の崩壊の恐れの大きさ段階に対応した傾斜測定装置の配置位置を同一区域に持つ段階的な崩壊危険予兆区域画像が第二段目として形成される。◎でなくて、他の表示方法で表示してもよい。
【００７２】
図１２（ｃ）には、長時間継続による画像図面が表示されているが、継続時間に対応して複数の画像表示をするようにしてもよい。継続時間は、複数設定することが出来る。
【００７３】
防災担当者は、自己が所有する崩壊危険指定領域についての知識からあるいは画像表示された状況から図１２（ｃ）に表示された領域の一部を変更することが出来る。図１２（ｃ）には、一部変更された領域が２点鎖線で示してある。例えば、領域の一部に亀裂が発生したような時に計測信号が出て、画面表示される。亀裂が発生していないような場合にあっても、急激に崩壊が発生することが観測され得る。このような兆候は、観測画面を視覚的に見ていることで判断され得る。観測画像の重要性は、この兆候を見つけて、画面表示を適切な状態とさせるような変更を可能とさせることにある。上述したように、防災担当者は、自己が所有する崩壊危険指定領域について画像表示された状況から図１２（ｃ）に表示された領域の一部を変更することが出来る。
【００７４】
図１２（ｄ）は、気泡管センサ６１から傾斜信号が発せられ、予め定められた限界値を超えた傾斜信号が発せられた状態８４の段階にあることを示す図である。この段階にある傾斜測定装置には、三重○が付されている。三重○の付された傾斜測定装置を取り囲むように実線が付されている。コンピュータシステムによる設計によって傾斜測定装置を取り囲むように実線を付すことが出来る。この段階では、気泡管センサ６１ばかりでなく加速度センサ６２からも傾斜信号が発せられている。よく知られているように、気泡管センサは、検出精度が高く、小さな傾斜を測定するのに向き、加速度センサは、精度は低いが高範囲の角度を検出するのに向いている。この領域に異なった彩色を施すことで、視認性がよくなる。この実線区分けによって一定時間検出があった領域と限界値に達した信号の検出があった領域とが明確に区分けされる。このようにして、同一の崩壊の恐れの大きさ段階に対応した傾斜測定装置の配置位置を同一区域に持つ段階的な崩壊危険予兆区域画像が第三段目として形成される。
【００７５】
防災担当者は、自己が所有する経験・知識からあるいは画像表示された状況から視覚的に図１２（ｄ）に表示された領域の一部を変更することが出来る。図１２（ｄ）には、一部変更された領域が２点鎖線で示してある。第四段階の表示となる。
【００７６】
図１２（ｃ）、図１２（ｄ）に示されるように２点鎖線で示す領域で変更するのは、崩壊した現場を観察すると、亀裂が観測されてもこの亀裂を境にして崩壊が発生せず、亀裂が観測されていないところから崩壊が開始することがよくあることに基づくもので、防災担当者の感性を画面に表示することが求められることによる。その場合にあっても、基本は、傾斜測定装置１０によって測定された傾斜測定データあるいは/および観測画像が基礎になる。傾斜測定装置１０によって測定された傾斜測定データあるいは／および観測画像で観測された崩壊進行状況に合わせることを予め定めておくことで図２に示す段階的な危険予測域９を用い、各段階の崩壊を画面に表示するようにすることが出来る。この場合にあっても、各危険領域の画面には各危険領域に配置の傾斜観測装置が表示される。この場合に、傾斜測定データあるいは/および観測画像によって表示された段階的な崩壊予兆画面と交互に画面に表示して対比出来るようにしてもよい。
【００７７】
次の段階は、図示していないが、傾斜測定装置が倒れた信号を発した状況にある。このような段階に至ると傾斜面に亀裂が発生して斜面の崩壊が始まっていることを示す。
【００７８】
このように、崩壊危険予兆区域画像が各段階に区分けされて順次表示される、最新の崩壊危険予兆区域が市町村管轄の地図に表示されるようにしてもよい。このように画面に表示することで、崩壊危険サービス情報提供が迅速に刻々にリアルタイムでなされることになり、市町村役場１１で傾斜監視している防災担当者の監視負担を軽減することが出来る。
【００７９】
図１２に示す段階的崩壊危険報知モニター図面５６は、市町村役場の傾斜変化監視センターに設置されたコンピュータに設けられたコンピュータシステムに段階的崩壊危険報知モニター手段５３が備えられることで達成される。
【００８０】
また、図１２に示す段階的崩壊危険報知モニター図面５６は、サービス情報提供企業２０の傾斜変化監視センター２１に設置されたコンピュータに設けられたコンピュータシステムに段階的崩壊危険報知モニター提供手段５３が設けられる。このコンピュータシステムが受信手段５１、演算処理手段５２および段階的崩壊危険報知モニター提供手段５３を備えられることで達成される。
【００８１】
この場合には、サービス情報提供企業２０の傾斜変化監視センター２１に設置されたサーバ２２に設けられたコンピュータシステムに段階的崩壊危険報知モニター供手段５３が設けられ、このコンピュータシステムが受信手段５１、演算処理手段５２および段階的崩壊危険報知モニター提供手段５３を備える。また、データベース５４および画面表示手段５５を備える。受信手段５１が各市町村役場の管轄する管轄領域内の測定対象地点に設置された傾斜測定装置１０からの各傾き角度変化測定データ、傾斜方向を受信し、演算処理手段５２が崩壊危険監視指定域２の崩壊する恐れの大きさを段階的に示す各段階的崩壊危険予兆情報８１−８４(図１２)を生成し、段階的崩壊危険報知モニター手段５３が画面表示された同一の崩壊の恐れの大きさ段階に対応した傾斜測定装置配置位置を同一区域に持つ段階的な崩壊危険予兆区域画像を、通信回線を介して、当該市町村役場１１に設置されたコンピュータシステムに送信されることを特徴とする崩壊危険サービス情報提供装置が構成される。コンピュータシステムは送信された画面データを表示することで、画面状態が得られることになる。
【００８２】
段階的崩壊危険報知モニター手段５３が、傾斜測定装置１０に備えられた集音装置（図示せず）によって修おとされた当該崩壊危険監視していい木で生じた音情報を提供するようにしてもよい。また、当該崩壊危険監視指定域に雨量計を設け、表示画面２Ａに他の情報として表示するようにしてもよい。
【００８３】
図４に示す例の場合、サービス提供会社によって作成される媒体２５は次のように構成される。図５に示す例の場合には、媒体１３は必要とされない。
測定対象地点の傾斜を予め定めた測定タイミングで測定する傾斜測定装置１０が測定した傾斜変化量を、傾斜変化監視センター１１のコンピュータシステムに入力させ、崩壊危険情報を生成し、サービス提供する地域内の崩壊危険サービス情報提供装置の運用コンピュータプログラムからなる媒体である。
【００８４】
データベースに、該傾斜測定装置が複数設置された崩壊危険監視指定域の情報、当該崩壊危険監視指定域に設置された傾斜測定装置の情報および崩壊危険監視指定域についての地図情報および各地図内に配置された傾斜測定装置の配置情報を格納させる。
【００８５】
画面表示手段に、崩壊危険監視指定域情報、傾斜測定装置情報、地図情報および傾斜測定装置の配置情報に基づいて各崩壊危険監視指定域の地図上に配置位置が設定された傾斜測定装置配置位置を画面に表示させる。
【００８６】
受信手段に、各傾斜変化測定装置から通信手段を介して送信された、傾き角度変化測定データを受信させる。
【００８７】
演算処理手段に、受信された傾き角度変化測定データから、微小な傾き角度変化を示す傾斜変化データ、および傾き角度変化が継続したことを示す傾斜変化データあるいは該傾斜変化データが予め定めた限界値に達したことを示す傾斜変化データを生成し、生成された傾斜変化データが持つ崩壊危険監視指定域の崩壊する恐れの大きさに対応して段階的な崩壊危険予兆情報を生成させる。
【００８８】
段階的崩壊危険報知モニター手段に、傾斜測定装置の配置位置を持つ崩壊危険監視指定域の地図の表示画面上に、生成された複数の段階的な崩壊危険予兆情報に基づいて、同一の崩壊の恐れの大きさ段階に対応した傾斜測定装置配置位置を同一区域、領域に持つ段階的な崩壊危険予兆区域画像を形成し、画面表示手段に画像表示させる。
【００８９】
媒体は、このような機能を有するようにして構成される。
【００９０】
以上のように、本実施例によれば、測定対象地点である地域に、何段階にも亘る傾斜面状態を複数一群の傾斜測定装置で測定することで、土地内部での水含有あるいは土壌の詳細なる分析を要することなく、当該地域を示す地図上に崩壊予兆画像を段階的に表示することが出来、市町村役場の防災担当者がリアルタイムに取得される斜面状態を時々刻々に監視して、測定対象地点の崩壊危険予兆をより具体的に視覚的に把握することが出来ることで、その責務を迅速に安全に全うできるようにしたモニター画面を提供することが出来る。
【００９１】
本実施例は、雪崩現象にも適用することが出来る。例えば、スキー場にあっては、スキーゲレンデが測定対象地点であり、崩壊危険監視指定域となる。雪崩現象対応に当たっては、積雪量、すなわち積雪高さを考量して背を高くして傾斜測定装置を設置するなどの工夫を行う。積雪の移動に対する検知能力を向上させるために斜面方向の直角方向に設定した板を傾斜測定装置に設けてもよい。
【符号の説明】
【００９２】
１…いずれかの市町村の地図、２…崩壊危険監視指定域、３…市町村、９…危険予測域、１０…傾斜測定装置、１１…市町村役場３内の傾斜変化センター、１２…コンピュータ、１４…中継機、２０…サービス提供会社、２１…サービス提供会社の傾斜変化監視センター、２２…サービス提供会社のサーバ（コンピュータ）、２４…インターネット回線、２５…媒体、５１…受信手段、５２…演算処理手段、５３…段階的崩壊危険報知モニター手段、５４…データベース、５５…画面表示手段、５６…モニター画面、１００…崩壊危険報知サービス提供システム、１０１…崩壊危険報知サービス提供装置。
【図１】
2015108888.tif 000003
【図２】
2015108888.tif 000004
【図３】
2015108888.tif 000005
【図４】
2015108888.tif 000006
【図５】
2015108888.tif 000007
【図６】
2015108888.tif 000008
【図７】
2015108888.tif 000009
【図８】
2015108888.tif 000010
【図９】
2015108888.tif 000011
【図１０】
2015108888.tif 000012
【図１１】
2015108888.tif 000013
【図１２】
2015108888.tif 000014
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
測定対象地点の傾斜変化を予め定めた測定タイミングで傾斜測定装置が測定した傾斜変化測定量から傾斜変化測定データを生成して、傾斜変化監視センターのコンピュータシステムに入力させ、傾斜変化測定データに関するサービス提供する崩壊危険予兆報知サービス提供装置であって、
測定対象地点が崩壊危険監視指定域として設定され、複数一群の傾斜測定装置が設置された崩壊危険監視指定域の地図情報を含む指定域情報、および各地図内に配置された複数一群の傾斜測定装置の配置情報を格納するデータベースと、
崩壊危険監視指定域の地図情報を含む指定域情報、および傾斜測定装置の配置情報に基づいて各崩壊危険監視指定域の地図上に複数一群の傾斜測定装置の配置位置を画面に表示する画面表示手段と、
気泡動きの画像を継続的に取得する撮像装置を備え、気泡の傾斜角度および傾斜方向を測定して傾斜変化測定データを取得する気泡管センサを備えて測定画像データを継続的に取得する、各崩壊危険監視指定域に配置された複数一群の傾斜測定装置と、
各傾斜測定装置から通信手段を介して継続的に送信された、測定画像データを受信する受信手段と、
受信された測定画像データから微小な傾斜変化測定データを継続的に取得して各崩壊危険監視指定域の崩壊前予兆状態を取得し、微小な傾斜変化測定データの取得から、崩壊に至るまでの予め想定された時間を微小な傾斜変化測定データに対応してステップ状に採って、同一のステップの崩壊の恐れ画面領域を同一の領域として区画し、区画された複数のステップに対応した崩壊の恐れ画面領域からなる崩壊前予兆状態表示画面を生成する演算処理手段と、
指定域および指定域に配置された傾斜測定装置の配置位置を示す画面に、区画された複数のステップで示される崩壊の恐れ画面領域を画面領域別に示す崩壊前予兆状態表示画面を継続的に表示する崩壊危険報知モニター手段と、からなること
を特徴とする崩壊危険予兆報知サービス情報提供装置。
【請求項２】
請求項１に記載された崩壊危険予兆報知サービス情報提供装置において、画面表示手段画像に、微小な傾斜変化測定データと測定画像データをサンプリング周期ごとに継続して表示することを特徴とする崩壊危険予兆報知サービス情報提供装置。
【請求項３】
請求項１に記載された崩壊危険予兆報知サービス情報提供装置において、市町村役場の傾斜変化監視センターに設置されたコンピュータに設けられたコンピュータシステムに崩壊危険報知モニター手段が備えられ、市町村内地域における、同一のステップで示される崩壊の恐れ画面領域を画面領域別に示す崩壊前予兆状態表示画面を表示させることを特徴とする崩壊危険予兆報知サービス情報提供装置。
【請求項４】
請求項１に記載された崩壊危険予兆報知サービス情報提供装置において、サービス情報提供企業の傾斜変化監視センターに設置されたコンピュータシステムが、受信手段、演算処理手段および崩壊危険報知モニター手段を備えることを特徴とする崩壊危険予兆報知サービス情報提供装置。
【請求項５】
請求項１または２に記載された崩壊危険予兆報知サービス情報提供装置において、集音装置が、傾斜測定装置に備えられ、崩壊危険報知モニター手段に、集音された音情報が提供されることを特徴とする崩壊危険予兆報知サービス情報提供装置。
【請求項６】
請求項５に記載された崩壊危険予兆報知サービス情報提供装置において、崩壊危険報知モニター手段が、画面表示手段の画面に、集音状況表示欄と共に住民への伝達状況表示欄 が設けられることを特徴とする崩壊危険予兆報知サービス情報提供装置。
【請求項７】
請求項１から６のいずれかに記載された崩壊危険予兆報知サービス情報提供装置、崩壊危険監視指定域に設置された複数一群の傾斜測定装置およびこれらの装置を接続する通信手段からなり、同一のステップで区画される崩壊の恐れ画面領域を画面領域別に示す崩壊前予兆状態表示画面を一時静止させることを特徴とする崩壊危険予兆報知サービス情報提供システム。
【請求項８】
気泡動きの画像を継続的に取得する撮像装置を備え、気泡の傾斜角度および傾斜方向を測定して傾斜変化測定データを取得する気泡管センサを備えて測定画像データを継続的に取得する、各崩壊危険監視指定域に配置された複数一群の傾斜測定装置を備え、測定対象地点の傾斜変化を予め定めた測定タイミングで傾斜測定装置が測定した傾斜変化測定量から傾斜変化測定データを生成して、傾斜変化監視センターのコンピュータシステムに入力させ、傾斜変化測定データに関するサービスを提供する崩壊危険予兆報知サービス提供装置で運用されるコンピュータプログラムからなる媒体であって、
データベースに、設定された測定対象地点が崩壊危険監視指定域、複数一群の傾斜測定装置が設置された崩壊危険監視指定域の地図情報を含む指定域情報、および各地図内に配置された複数一群の傾斜測定装置の配置情報を格納させ、
画面表示手段に、崩壊危険監視指定域の地図情報を含む指定域情報、および傾斜測定装置の配置情報に基づいて各崩壊危険監視指定域の地図上に複数一群の傾斜測定装置の配置位置を画面に表示させ、
受信手段に、各傾斜測定装置から通信手段を介して継続的に送信された、測定画像データを受信させ、
演算処理手段に、受信された測定画像データから微小な傾斜変化測定データを継続的に取得させて各崩壊危険監視指定域の崩壊前予兆状態を取得させ、微小な傾斜変化測定データの取得から、崩壊に至るまでの予め想定された時間を微小な傾斜変化測定データに対応してステップ状に採って、同一のステップの崩壊の恐れ画面領域を同一の領域として区画させ、区画された複数のステップに対応した崩壊の恐れ画面領域からなる崩壊前予兆状態表示画面を生成させ、
崩壊危険報知モニター手段に、指定域および指定域に配置された傾斜測定装置の配置位置を示す画面に、区画された複数のステップで示される崩壊の恐れ画面領域を画面領域別に示す崩壊前予兆状態表示画面を継続的に表示させること、からなること
を特徴とする崩壊危険予兆報知サービス情報提供装置の運用コンピュータプログラムからなる媒体。
【請求項９】
測定対象地点の微小な傾斜変化を予め定めた測定タイミングで傾斜測定装置が測定した微小な傾斜変化測定量から微小な傾斜変化測定データを生成して、傾斜変化監視センターのコンピュータシステムに入力させ、崩壊危険予兆報知情報を生成し、サービス提供する崩壊危険予兆報知サービス提供装置による崩壊危険予兆報知サービス提供であって、
データベースに、測定対象地点が崩壊危険監視指定域として設定され、複数一群の傾斜測定装置が設置された崩壊危険監視指定域の地図情報を含む指定域情報、および各地図内に配置された複数一群の傾斜測定装置の配置情報が格納され、
画面表示手段が、崩壊危険監視指定域の地図情報を含む指定域情報、および傾斜測定装置の配置情報に基づいて各崩壊危険監視指定域の地図上に複数一群の傾斜測定装置の配置位置を画面に表示し、
各崩壊危険監視指定域に配置された複数一群の傾斜測定装置が、気泡動きの画像を継続的に取得する撮像装置を備え、気泡の傾斜角度および傾斜方向を測定して傾斜変化測定データを取得する気泡管センサを備えて測定画像データを継続的に取得し、
受信手段が、各傾斜測定装置から通信手段を介して継続的に送信された、測定画像データを受信し、
演算処理手段が、受信された測定画像データから微小な傾斜変化測定データを継続的に取得して各崩壊危険監視指定域の崩壊前予兆状態を取得し、微小な傾斜変化測定データの取得から、崩壊に至るまでの予め想定された時間を微小な傾斜変化測定データに対応してステップ状に採って、同一のステップの崩壊の恐れ画面領域を同一の領域として区画し、区画された複数のステップに対応した崩壊の恐れ画面領域からなる崩壊前予兆状態表示画面を生成し、
崩壊危険報知モニター手段が、指定域および指定域に配置された傾斜測定装置の配置位置を示す画面に、区画された複数のステップで示される崩壊の恐れ画面領域を画面領域別に示す崩壊前予兆状態表示画面を継続的に表示するからなること
を特徴とする崩壊危険予兆報知サービス情報提供方法。